(57)【特許請求の範囲】
【請求項１】
作業進行方向に向けて前後に連結された施肥機と播種機を備え、トラクタに牽引されて施肥と播種を同時に行う施肥播種作業機であって、
施肥機と播種機は、互いに作業進行方向に対して左右に相対的に移動させ、かつ該移動位置を固定することで、左右方向の相対的な連結位置を調整可能として、圃場に施肥機で施肥される施肥線と播種機で播種される播種線の間隔を、作物に対応して変更でき、
施肥機は、トラクタの３点リンクに接続可能な左右一対のロアリンク取り付けブラケット及びマストを備えているとともに、左右一対のロアリンク取り付けブラケットの位置からそれぞれ後方に延びる左右一対の連結用ロアリンク及び連結用アッパリンクを備えており、
播種機は、トラクタの３点リンクに接続可能な左右一対の連結用ロアリンク取り付けブラケット及び連結用アッパリンク取り付けブラケットを備えており、
施肥機の左右一対の連結用ロアリンク及び連結用アッパリンクが、播種機の左右一対の連結用ロアリンク取り付けブラケット及び連結用アッパリンク取り付けブラケットに、左右方向に移動可動に取り付けられていることを特徴とする施肥播種作業機。
【請求項２】
施肥機と播種機は、シリンダによって、互いに作業進行方向に対して左右に相対的に移動させ、かつ該移動位置を固定することが可能であることを特徴とする請求項１に記載の施肥播種作業機。
【請求項３】
施肥機は、肥料供給タンクと、肥料供給タンクから肥料を圃場に向けて送る複数の施肥チューブと、施肥チューブの下端開口に対応して設けられ圃場に施肥溝を切り込んで形成する複数の施肥ディスクと、を備え、
播種機は、種供給タンクと、種供給タンクから肥料を圃場に向けて送る複数の播種チューブと、播種チューブの下端開口に対応して設けられ圃場に播種溝を切り込んで形成する複数の播種ディスクと、を備えており、
複数の施肥ディスクで形成される複数の施肥溝に、複数の施肥チューブから送り出される肥料が施肥され、
複数の播種ディスクで形成される複数の播種溝に、複数の播種チューブから送り出される種が播種されることを特徴とする請求項１又は２に記載の施肥播種作業機。
【請求項４】
種供給タンクに、複数の播種チューブに対応してそれぞれシャッタを設け、該シャッタを開閉することで、複数の播種チューブの選択した播種チューブのみに供給タンクから種を供給可能とすることを特徴とする請求項３に記載の施肥播種作業機。
【発明の詳細な説明】
【技術分野】
【０００１】
本発明は、施肥装置と播種装置を備え、施肥と播種を同時に行うことのできる施肥播種作業機に関する。
【背景技術】
【０００２】
従来、一台の農作業機において、施肥機と播種機を備えており、圃場表面に肥料溝と播種溝を互いに所定の間隔をおいて平行に形成し、施肥機と播種機から種子と肥料をそれぞれ肥料溝と播種溝に供給する複合作業機は知られている（特許文献１参照）。
【０００３】
また、施肥と播種を行う施肥播種機において、施肥播種装置を備えた施肥播種フレームを、横幅方向水平に設けられた取り付けビームに摺動可能かつボルトで締め付けて固定する構造として、畝の状態等に合わせて、施肥播種位置を左右に移動可能とする構成が知られている（特許文献２参照）。
【先行技術文献】
【特許文献】
【０００４】
【特許文献１】特許第４１１７０６４号公報
【特許文献２】実公平０４−４９８５７号公報
【発明の概要】
【発明が解決しようとする課題】
【０００５】
施肥と播種の対象である作物の種類（例えば、米、麦）によって、施肥する施肥溝と播種溝の互いの間隔（作業方向に対して左右の幅方向の間隔）を調節し施肥と播種の互いの間隔を変える必要がある。
【０００６】
上記特許文献１記載の従来例の複合作業機は、施肥溝と播種溝のそれぞれの溝の形状を変える調節手段は備えているが、施肥溝と播種溝の互いの間隔、及び施肥機と播種機の互いの間隔を変えて、施肥と播種の間隔を変えるという手段は備えておらず、特許文献１にはそのような技術思想は記載又は示唆されていない。
【０００７】
上記特許文献２記載の従来例の施肥播種機は、施肥播種機を左右に移動して、畝の状態等に合わせて、施肥播種位置を左右に移動可能とする構成は備えている。しかし、この施肥播種機は、施肥播種機を備えた施肥播種フレームを、横幅方向水平に設けられた取り付けビームに摺動可能かつボルトで締め付けて固定する構造にすぎない。
【０００８】
要するに、施肥機と播種機を一体で移動する構成であり、施肥溝と播種溝の互いの間隔、及び施肥機と播種機の互いの間隔を変えて、施肥と播種の間隔を変えるという手段は備えていない。特許文献２にはそのような技術思想は記載又は示唆されていない。
【０００９】
本発明は、上記従来例の問題を解決することを目的とし、施肥機と播種機を互いに相対的に移動可能とし、互いの間隔を簡単に調整できるようにすることで、播種する作物の種類に応じて、施肥された肥料の線と播種された種の線の互いの間隔を簡単に調整可能とする施肥播種作業機を実現することを課題とする。
【課題を解決するための手段】
【００１０】
本発明は上記課題を解決するために、作業進行方向に向けて互いに対して前又は後の位置に連結された施肥機と播種機を備え、トラクタに牽引されて施肥と播種を同時に行う施肥播種作業機であって施肥機と播種機は、互いに作業進行方向に対して左右に相対的に移動させ、かつ該移動位置を固定することで、左右方向の相対的な連結位置を調整可能として、圃場に施肥機で施肥される施肥線と播種機で播種される播種線の間隔を、作物に対応して変更できることを特徴とする施肥播種作業機を提供する。
【００１１】
施肥機と播種機は、シリンダによって、互いに作業進行方向に対して左右に相対的に移動させ、かつ該移動位置を固定することが可能である。
【００１２】
施肥機は、トラクタの３点リンクに接続可能な左右一対のロアリンク取り付けブラケット及びマストを備えているとともに、左右一対のロアリンク取り付けブラケットの位置からそれぞれ後方に延びる左右一対の連結用ロアリンク及び連結用アッパリンクを備えており、播種機は、トラクタの３点リンクに接続可能な左右一対の連結用ロアリンク取り付けブラケット及び連結用アッパリンク取り付けブラケットを備えており、施肥機の左右一対の連結用ロアリンク及び連結用アッパリンクが、播種機の左右一対の連結用ロアリンク取り付けブラケット及び連結用アッパリンク取り付けブラケットに、左右方向に移動可動に取り付けられていることが好ましい。
【００１３】
施肥機は、肥料供給タンクと、肥料供給タンクから肥料を圃場に向けて送る複数の施肥チューブと、施肥チューブの下端開口に対応して設けられ圃場に施肥溝を切り込んで形成する複数の施肥ディスクと、を備え、播種機は、種供給タンクと、種供給タンクから肥料を圃場に向けて送る複数の播種チューブと、播種チューブの下端開口に対応して設けられ圃場に播種溝を切り込んで形成する複数の播種ディスクと、を備えており、複数の施肥ディスクで形成される複数の施肥溝に、複数の施肥チューブから送り出される肥料が施肥され、複数の播種ディスクで形成される複数の播種溝に、複数の播種チューブから送り出される種が播種されることが好ましい。
【００１４】
種供給タンクに、複数の播種チューブに対応してそれぞれシャッタを設け、該シャッタを開閉することで、複数の播種チューブの選択した播種チューブのみに供給タンクから種を供給可能とすることが好ましい。
【発明の効果】
【００１５】
本発明によれば、施肥機と播種機を互いに相対的に移動可能とし、互いの間隔を簡単に調整できるようにしたので、播種する作物の種類に応じて、施肥された肥料の線と播種された種の線の互いの間隔を簡単に調整することが可能となった。
【図面の簡単な説明】
【００１６】
【図１】本発明に係る施肥播種機の実施例を説明する図であり、施肥播種機をトラクタに連結した状態を示す側面図である。
【図２】図１の要部Ａを示す拡大図である。
【図３】上記実施例の施肥播種機を斜め前方から見た斜視図である。
【図４】上記実施例の施肥播種機を麦のための施肥播種に使用する態様を説明する平面図である。
【図５】上記実施例の施肥播種機を米のための施肥播種に使用する態様を説明する平面図である。
【図６】上記実施例の施肥播種機の施肥機、播種機及び油圧シリンダの分解斜視図である。
【図７】上記実施例の施肥播種機の要部を説明する平面図である。
【図８】上記実施例の施肥播種機の要部を説明する分解斜視図である。
【図９】上記実施例の施肥播種機の要部を説明する斜視図である。
【図１０】上記実施例の施肥播種機の播種機の種供給タンクの概要を説明する断面図である。
【発明を実施するための形態】
【００１７】
本発明に係る施肥播種作業機を実施するための形態を実施例に基づき図面を参照して、以下説明する。
【実施例】
【００１８】
本発明に係る施肥播種作業機の実施例を、図１〜１０を参照して説明する。本明細書及び本発明では、説明の都合上、施肥播種作業機の進行方向を前方とし、進行方向に向かって左右側を左右方向とする。
【００１９】
本発明の施肥播種作業機１は、図１〜９に示すように、左右方向に延びる前方水平フレーム２の後側に、作業方向に向けて前後となるように、施肥機３と播種機４を備えている。  
【００２０】
施肥機３と播種機４との間には、油圧シリンダ８（図６〜図９）が取り付けられている。施肥播種作業機１を使用して施肥播種作業を行う場合は、図１に示すように、施肥機３側を、図１に示すように、ロアリンク９とアッパリンク１０から成るトラクタの３点リンクを介してトラクタ１４に連結して牽引する。
【００２１】
前方水平フレーム２には、図３、図８、図９に示すように、その左右方向の中央にマスト１５が起立して取り付けられており、その上端にはアッパリンクピン１６（図３、図４、図５参照）が設けられている。
【００２２】
また、前方水平フレーム２には、マスト１５の左右両側に、図７、図８、図９に示すように、それぞれトラック用のロアリンク取り付けブラケット２０が取り付けられている。ロアリンク取り付けブラケット２０には、ロアリンクピン２１が設けられている。
【００２３】
施肥播種作業機１の使用に際しては、マスト１５のアッパリンクピン１６には、図１に示すトラクタ１４のアッパリンク１０が取り付けられ、ロアリンク取り付けブラケット２０のロアリンクピン２１には、図７、図８、図９に示すトラクタ１４のロアリンク９が取り付けられ、図１に示すように、施肥播種作業機１をトラクタ１４に取り付けて牽引可能である。
【００２４】
図７、図８、図９に示すように、前方水平フレーム２には、左右のロアリンク取り付けブラケット２０の後側に位置して、それぞれ播種機４との連結用ロアリンク２４が取り付けられている。連結用ロアリンク２４の後端には、一対のロアリンク片２５が設けられている。一対のロアリンク片２５には、左右方向に貫通するリンク孔２６（図８参照）が形成されている。 
【００２５】
前方水平フレーム２の右側（左側でもよい）には、油圧シリンダ取り付け部材２９が取り付けられている（図７、図８、図９参照）。
【００２６】
施肥機：
施肥機３は、図２、図３、図６に示すように、肥料供給タンク３１と、左右方向に間隔をおいて設けられた複数の施肥チューブ３２と、複数の施肥チューブ３２に対応して設けられた複数の施肥ディスク３３と、を備えている。
【００２７】
肥料供給タンク３１は、その前面側では、図３に示すように、肥料供給タンク取り付けブラケット３６を介してマスト１５に固定されている。肥料供給タンク３１の後面には、図６、図８、図９に示すように、播種機４との連結用アッパリンク３７が固定されている。連結用アッパリンク３７は、その後端にフック３８が形成されている。
【００２８】
肥料供給タンク３１の詳細は図示しないが、その内部に肥料送り出しローラが設けられている。この肥料送り出しローラは、施肥用駆動輪４１（図２、図６参照）によって、伝導チェーン（図示せず）を介して回転駆動され、一定量の肥料を下方に送り、底部に設けられた施肥チューブ取り付け板４２の供給孔４３を通して、施肥チューブ３２に肥料を送り出すように構成されている。
【００２９】
なお、施肥用駆動輪４１は、圃場４０の表面に接触しており、施肥播種機１が前進すると回転する。
【００３０】
複数の施肥ディスク３３は、図３、図６に示すように、それぞれ施肥ディスク取り付けブラケット４７と施肥ディスク支持部材４８によって、前方水平フレーム２に、一定の間隔をおいて取り付けられている。
【００３１】
なお、施肥ディスク３３は、その詳細は図示はしないが、前方又は後方から見ると、略逆Ｖ字型に配置された２枚のディスク板から成り、圃場４０の表面に断面Ｖ字型の施肥溝を形成するものである。施肥ディスク３３については、前記特許文献１の図１に開溝ディスクとして記載されている。
【００３２】
図３、図６に示すように、施肥チューブ３２は、その上端が施肥チューブ取り付け板４２に、供給孔４３と挿通するように取り付けられており、その下端開口が施肥ディスク３３の一対のディスクの間に配置されて取り付けられている。
【００３３】
播種機：
播種機４は、図２、図３、図６〜図９に示すように、後方水平フレーム５１と、種供給タンク５２と、左右方向に間隔をおいて設けられた複数の播種チューブ５３と、複数の播種チューブ５３に対応して設けられた複数の播種ディスク５４と、を備えている。
【００３４】
また、播種機４は、図３、図６に示すように、左右の側部フレーム板５８を有し、左右の側部フレーム板５８の下端部には、車軸５９を介して播種用車輪６０が取り付けられている。
【００３５】
後方水平フレーム５１は、左右の側部フレーム板５８間を橋絡するように取り付けられている。
【００３６】
後方水平フレーム５１の左右前面側には、図６〜図９に示すように、連結用ロアリンク取り付けブラケット６４が取り付けられている。連結用ロアリンク取り付けブラケット６４は、一対のロアリンク取り付け片６５を有し、一対のロアリンク取り付け片６５間には、ロアリンクピン６６が装着されている。
【００３７】
一対のロアリンク取り付け片６５の間隔は、連結用ロアリンク２４の一対のロアリンク片２５の間隔より大きく形成されている。これによって、一対のロアリンク取り付け片６５の間で、一対のロアリンク片２５が左右方向に移動可能とする。
【００３８】
一対のロアリンク取り付け片６５の間隔と一対のロアリンク片２５の間隔との差は、施肥機３に対する播種機４が、後記するように油圧シリンダ８によって、左右方向に移動可能な最大距離であり、施肥機３に対する播種機４の左右方向の位置の調整における最大調整幅に相当する。
【００３９】
そして、図６〜９に示すように、後方水平フレーム５１の左右から上方中央に延びる一対の支持杆７０の頂部７１は、種供給タンク５２の前面に固定されており、この頂部７１には、連結用アッパリンク取り付けブラケット７４が設けられている。
【００４０】
連結用アッパリンク取り付けブラケット７４は、一対のアッパリンク取り付け片７５を有し、一対のアッパリンク取り付け片７５の間にアッパリンクピン７６が装着されている。
【００４１】
一対のアッパリンク取り付け片７５の間隔は、連結用アッパリンク３７のフック３８の横幅より大きく形成されている。これによって、一対のアッパリンク取り付け片７５の間で、連結用アッパリンク３７のフック３８が左右方向に移動可能である。
【００４２】
一対のアッパリンク取り付け片７５の間隔と連結用アッパリンク３７のフック３８の横幅との差は、前記対のロアリンク取り付け片６５の間隔と一対のロアリンク片２５の間隔との差と同じであり、施肥機３に対する播種機４が、後記するように、左右方向に移動可能な最大距離であり、施肥機３に対する播種機４が左右方向の位置の調整における最大調整幅に相当する。
【００４３】
後方水平フレーム５１の左側（右側でもよい）には、図７、図８、図９に示すように、油圧シリンダ取り付け部材８０が取り付けられている。                         
【００４４】
種供給タンク５２は、後方水平フレーム５１の上方において、左右の側部フレーム板５８の間に配置されている。種供給タンク５２の詳細は図示しないが、その概要は次のとおりである。図１０に示すように、種供給タンク５２の下方に、種送り出しローラ８１が設けられている。種送り出しローラ８１は、播種用車輪６０によって、ギアボックス８２内に設けられた歯車機構（図示せず）を介して回転駆動される。
【００４５】
種送り出しローラ８１の上方であって種供給タンク５２の一部に、複数の播種チューブ５３に対応して、複数の送り出し孔８５が設けられている。複数の送り出し孔８５のそれぞれに面して、図１０に示すように、シャッタ８６がその操作ハンドル８７を操作することで開閉可能に設けられている。
【００４６】
複数の種送り出しローラ８１の下方に、供給孔９０を有する播種チューブ取り付け板９１が左右の側部フレーム板５８に取り付けられている。この播種チューブ取り付け板９１に播種チューブ５３の上端が、供給孔９０に連通するように取り付けられている。
【００４７】
播種機４が前進すると、種送り出しローラ８１は、播種用車輪６０によってギアボックス８２内に設けられた歯車機構（図示せず）を介して回転駆動され、一定量の種を送り出し孔８５を通して下方に送り、播種チューブ取り付け板９１の供給孔９０を通して、播種チューブ５３に種を送り出すように構成されている。
【００４８】
複数の播種チューブ５３は、その下端開口が播種ディスク５４の後記する一対のディスクの間に配置されて取り付けられている。複数の播種チューブ５３の間隔は、本実施例では、図４に示すように、例えば１５０ｍｍに設計されている。
【００４９】
そして、左右方向における施肥チューブ３２の下端開口と播種チューブ５３の下端開口の相対的位置関係は、図４に示す状態では、一端から播種チューブ５３を２つずつ組み合わせた場合に、各組の互いに隣接する２つの播種チューブ５３の下端開口間の中心に、複数の施肥チューブ３２の下端開口が位置している。
【００５０】
本発明の施肥播種作業機１の特徴は、後記するが、油圧シリンダ８を動作させて、施肥機３に対して播種機４を左右方向に相対的に移動して、施肥チューブ３２と播種チューブ５３の左右方向における相対的位置関係をずらして調整することが可能である。
【００５１】
複数の播種ディスク５４は、複数の播種チューブ５３の下端開口にそれぞれ対応するように設けられている（図２、図３参照）。複数の播種ディスク５４は、図２、図３、図６に示すように、後方水平フレーム５１に固定された播種ディスク取り付け杆５５及び播種ディスク支持部材５６によって、それぞれ左右方向に一定の間隔をおいて取り付けられている。
【００５２】
播種ディスク５４は、その詳細は図示しないが、前方又は後方から見ると、略Ｖ字型に配置された２枚の播種ディスク板から成り、圃場４０の表面に断面Ｖ字型の播種溝を形成するものである。
【００５３】
２枚の播種ディスク板の間に播種チューブ５３の下端が開口するように構成されている。なお、播種ディスク５４については、前記特許文献１の図１に開溝ディスクとして記載されている。
【００５４】
図示しないが、播種機４は、連結用ロアリンク取り付けブラケット６４とアッパリンク取り付けブラケット７４を、それぞれ、直接、トラクタ１４のロアリンク９と、アッパリンク１０に取り付けることで、トラクタ１４に直接取り付けることが可能である。
【００５５】
本発明では、播種機４は施肥機３の後ろ側に連結して施肥播種機１の一部として使用される。しかし、上記のとおり播種機４は、トラクタ１４に直接取り付けて使用してもよい。換言すると、トラクタ１４に直接取り付けて使用する播種機４を施肥機３に連結してもよい。
【００５６】
油圧シリンダ：
油圧シリンダ８は、図６、図７に示すように、シリンダ本体９５とピストンロッド９６を備えている。シリンダ本体９５は、施肥機３の油圧シリンダ取り付け部材２９に取り付けられており、ピストンロッド９６の先端は播種機４の油圧シリンダ取り付け部材８０に取り付けられている。
【００５７】
シリンダ本体９５内のピストンで区画された２つの空間内に、それぞれ油圧ホース９７が連通して取り付けられている。油圧ホース９７は、図示しないが、油圧分配制御器を介して油圧ポンプに連結している。
【００５８】
なお、本実施例では、シリンダとして油圧シリンダ８を使用したが、油圧シリンダ８に替えて電動シリンダを使用してもよい。
【００５９】
施肥機と播種機の連結構造：                   
施肥機３に播種機４を前後に連結して組み込む場合は、施肥機３の連結用アッパリンク３７のフック３８を、播種機４の一対のアッパリンク取り付け片７５の間に下方から差し込んでアッパリンクピン７６に、左右方向に摺動可能に掛ける。このようにして、アッパリンク３７が一対のアッパリンク取り付け片７５の間で左右方向に移動可能な状態で取り付ける（図８、図９参照）。
【００６０】
そして、施肥機３の左右における連結用ロアリンク２４のロアリンク片２５を、播種機４の左右における一対のロアリンク取り付け片６５の間に差し込み、ロアリンクピン６６をリンク孔２６に挿通して、ロアリンク片２５がロアリンクピン６６に左右方向に摺動可能となるようにする。このようにして、連結用ロアリンク２４が、一対のロアリンク取り付け片６５の間で左右方向に移動可能な状態で取り付ける（図８、図９参照）。
【００６１】
油圧シリンダ８は、前記のとおり、シリンダ本体９５を施肥機３の油圧シリンダ取り付け部材２９に取り付け、ピストンロッド９６の先端を播種機４の油圧シリンダ取り付け部材８０に取り付ける。
【００６２】
（作用）  
以上の構成から成る本発明の施肥播種機１の作用を説明する。施肥播種作業において、施肥播種機１が前進すると、施肥機３については、圃場４０の表面に施肥ディスク３３が直線状に延びる施肥溝を形成するとともに、施肥用駆動輪４１の回転によって肥料送り出しローラ（図示せず）が回転して、肥料供給タンク３１から肥料を複数の施肥チューブ３２に送給する。
【００６３】
そして、肥料は、複数の施肥チューブ３２を通って複数の施肥ディスク３３の２枚のディスク板の間から、それぞれ施肥溝内に直線状に施肥される。これによって、圃場４０には、図４に示すように、複数の直線状に施肥された肥料からなる線（これを本明細書では「施肥線」という）１０１が形成される。
【００６４】
また、播種機４については、圃場４０の表面に播種ディスク５４が直線状に延びる播種溝を形成するとともに、種供給タンク５２から供給される種を播種用車輪６０の回転によって種送り出しローラ８１が回転し、送り出し孔８５を通して、複数の播種チューブ５３に送給する。
【００６５】
そして、種は、複数の播種ディスク５４の２枚のディスク板（図示せず）の間から、それぞれ播種溝内に直線状に播種される。これによって、図４に示すように、圃場４０には複数の直線状に播種された種からなる線（これを本明細書では「播種線」という）１０２が形成される。
【００６６】
施肥線１０１と播種線１０２との左右方向の間隔は、播種対象とする作物に最適な間隔に調整する必要がある。そのために、油圧シリンダ８を動作させて、施肥機３に対して播種機４を左右方向に相対的に移動して調整する。
【００６７】
このような播種機４の移動は、具体的には、施肥機３のロアリンク片２５及びフック３８が、それぞれ播種機４の一対のロアリンク取り付け片６５及び一対のアッパリンク取り付け片７１の横幅の範囲内で、左右方向に相対的に移動する（実際は、ロアリンク片２５及びフック３８に対して一対のロアリンク取り付け片６５及び一対のアッパリンク取り付け片７１が移動する）ことにより行われる。
【００６８】
ここで、播種の対象作物が例えば麦の場合について、施肥機３と播種機４の最適な相対的な位置関係の調整について説明する。麦の場合は、全てのシャッタ８６を開き、種供給タンク５２から種を全ての播種チューブ５３へ送る。また、複数の播種ディスク５４の全てを使用して播種溝を形成、その全ての播種溝に播種する。
【００６９】
直線状の施肥溝に施肥された施肥線１０１と直線状の播種溝に播種された播種線１０２を、図４において、一点鎖線において示す。麦の播種の場合は、施肥線１０１と播種線１０２の間隔は７５ｍｍが最適である。
【００７０】
このような間隔に調整するために、油圧シリンダ８を動作させて施肥機３に対して播種機４を左右方向に移動させ、図４に示すように、左右方向の一端側から２つずつ播種チューブ５３を組み合わせた場合に、各組の互いに隣接する２つの播種チューブ５３の下端の開口間（１５０ｍｍ）の中心に、複数の施肥ディスク３３の中心が位置するようにする。
【００７１】
このように調整すると、複数の施肥チューブ３２の下端の開口に対する複数の播種チューブ５３の下端の開口は、それぞれ左右方向に７５ｍｍの間隔をもって設定される。
【００７２】
次に、播種の対象作物が、例えば、米の場合の施肥チューブの下端開口に対する播種チューブ５３の下端開口の最適な相対的な位置関係の調整について説明する。米の場合は、種供給タンク５２から播種チューブ５３への送りを開閉するシャッタ８６（図１０参照）を、左右方向の一端側から１つおきに開く。
【００７３】
直線状の施肥溝に施肥された施肥線１０１と直線状の播種溝に播種された播種線１０２を、図５において、一点鎖線において示す。米の播種の場合は、施肥線１０１と播種線１０２の間隔は３０ｍｍが最適である。
【００７４】
このような間隔に調整するために、油圧シリンダ８を動作させて播種機４を左右方向に移動し、左右方向における施肥チューブ３２の下端の開口に対して播種チューブ５３の下端の開口の相対的位置が、図５に示すように、３０ｍｍの間隔となるように調整する。
【００７５】
以上のとおり、施肥播種機１は、油圧シリンダ８を動作させることで、施肥機３に対して播種機４を左右方向に相対的に移動させて、各種の作物の施肥線１０１と播種線１０２の最適な間隔に対応して、肥料を供給する施肥チューブ３２の下端開口に対する、種を供給する播種チューブ５３の下端開口の左右方向の相対的の位置を調整可能である。
【００７６】
以上、本発明に係る施肥播種作業機を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００７７】
本発明に係る施肥播種作業機は、上記のような構成で、各種の作物の施肥線と播種線の最適間隔に簡単に調整し、対応可能であるので、各種の作物の施肥播種作業機として利用可能である。
【符号の説明】
【００７８】
１  施肥播種作業機                                       
２  前方水平フレーム                                     
３  施肥機                                               
４  播種機                                               
８  油圧シリンダ                                         
９  トラクタの３点リンクのロアリンク                     
１０  トラクタの３点リンクのアッパリンク                 
１４  トラクタ                                           
１５  マスト                                             
１６  マスト上端のアッパリンクピン                       
２０  トラック用のロアリンク取り付けブラケット           
２１  ロアリンクピン                                     
２４  連結用ロアリンク                                   
２５  一対のロアリンク片                                 
２６  リンク孔                                           
２９  油圧シリンダ取り付け部材                           
３１  肥料供給タンク                                     
３２  施肥チューブ                                       
３３  施肥ディスク                                       
３６  肥料供給タンク取り付けブラケット                   
３７  連結用アッパリンク                                 
３８  連結用アッパリンクのフック
４０  圃場                         
４１  施肥用駆動輪                                       
４２  施肥チューブ取り付け板                             
４３  施肥チューブ取り付け板の供給孔                     
４７  施肥ディスク取り付けブラケット                     
４８  施肥ディスク支持部材                                           
５１  後方水平フレーム                                   
５２  種供給タンク                                       
５３  播種チューブ                                       
５４  播種ディスク 
５５  播種ディスク取り付け杆
５６  播種ディスク支持部材                                  
５８  播種機の左右の側部フレーム板
５９  車軸                                               
６０  播種用車輪                                         
６４  連結用ロアリンク取り付けブラケット                 
６５  一対のロアリンク取り付け片                         
６６  ロアリンクピン                                     
７０  一対の支持杆                                       
７１  一対の支持杆の頂部                                 
７４  連結用アッパリンク取り付けブラケット               
７５  一対のアッパリンク取り付け片                       
７６  アッパリンクピン                                   
８０  油圧シリンダ取り付け部材                           
８１  種送り出しローラ                                   
８２  ギアボックス                                       
８５  種供給タンクの送り出し孔
８６  シャッタ                           
８７  シャッタの操作ハンドル                             
９０  播種チューブ取り付け板の供給孔                     
９１  播種チューブ取り付け板                             
９５  シリンダ本体                                       
９６  ピストンロッド                                     
９７  油圧ホース
１０１  施肥線
１０２  播種線                                         
【図１】
0006456233.tif 000002
【図２】
0006456233.tif 000003
【図３】
0006456233.tif 000004
【図４】
0006456233.tif 000005
【図５】
0006456233.tif 000006
【図６】
0006456233.tif 000007
【図７】
0006456233.tif 000008
【図８】
0006456233.tif 000009
【図９】
0006456233.tif 000010
【図１０】
0006456233.tif 000011